(57)【要約】【目的】  周辺に大きな空きスペースがないときであっても使用可能な物干支持具を提供する。【構成】  物干支持レバー100と、同レバー100が上下方向に向けられる不使用位置と略水平に向けられる使用位置とにかけて交互に移動自在にするために同レバー100の端部110を角度規制しつつ回動自在に軸支する軸支本体200とを具備し、軸支本体200は、同レバー100の端部110が取り付けられる可動部210と、壁面に取り付けられる固定部220とを有し、固定部220には、同レバー100の回動軸となる凸221部が設けられる一方、可動部210には、同レバー100の回動軸穴となり且つ凸部221に遊びを持たせて嵌まり込む凹部211が設けられ、同レバー100を不使用位置から使用位置にかけて移動させると、これに応じて同レバー100の先端部120が壁面から離れるように、凹部211の内底面及び凸部221の先端面が傾斜案内面となっている。【選択図】      図１
2005073782.tif 000002
【特許請求の範囲】
【請求項１】
壁面に沿って取り付けられる物干支持具において、物干支持レバーと、物干支持レバーが上下方向に向けられる不使用位置と略水平に向けられる使用位置とにかけて交互に移動自在にするために物干支持レバーの端部を角度規制しつつ回動自在に軸支する軸支本体とを具備しており、軸支本体は、物干支持レバーの端部が取り付けられる可動部と、壁面に取り付けられる固定部とを有し、固定部又は可動部には、物干支持レバーの回動軸となる凸部が設けられる一方、可動部又は固定部には、物干支持レバーの回動軸穴となり且つ凸部に挿入される凹部が設けられ、物干支持レバーを不使用位置から使用位置にかけて移動させると、これに応じて物干支持レバーの先端部が壁面から離れるように凹部の内底面及び凸部の先端面が傾斜案内面となっていることを特徴とする物干支持具。
【請求項２】
請求項１記載の物干支持具において、凸部は円筒体であってその上面には中心位置に軸穴及びその周りに物干支持レバーの回動角度を規制するための円弧穴が各々形成されている一方、凹部はその内底面の中心位置に前記軸穴に挿入される軸部及びその周りに前記円弧穴に挿入される軸状のボスが各々形成されていることを特徴とする物干支持具。
【請求項３】
請求項２記載の物干支持具において、軸穴より大きく且つ凸部内に入り込む程度の大きさの固定板と、固定板に形成された貫通穴に挿入可能であり且つ軸部の中心位置に形成された取付穴に螺着される取付ネジと、取付ネジに取り付けられ且つ凸部の先端面裏側と固定板との間に配置されるコイルスプリングとを備えたことを特徴とする物干支持具。
【請求項４】
請求項１、２又は３記載の物干支持具において、物干支持レバーは一本の金属パイプを折り曲げて作成されていることを特徴とする物干支持具。
【請求項５】
請求項４記載の物干支持具において、物干支持レバーを軸支本体の可動部に取り付けるための係止片を備え、軸物干支持レバーは、各端部に係止溝が各々形成されている一方、軸支本体は、物干支持レバーの各端部を各々挿入するための挿入穴及び係止片を位置決めするための溝が可動部に形成されており、物干支持レバーの各端部が可動部の各挿入穴に挿入された状態で可動部の溝に係止片を取り付けると、係止片が物干支持レバーの各端部の係止溝に係合するようになっていることを特徴とする物干支持具。
【発明の詳細な説明】
【技術分野】
【０００１】
本発明は室内等の壁面に２つ一組として取り付けられ物干竿等を掛け渡して使用する物干支持具に関する。
【背景技術】
【０００２】
この種の物干支持具の中には物干支持レバーが移動自在な構造になっているものがある。特に壁面に沿って取り付けるタイプである場合、物干支持レバーを水平状態に移動させると、この状態で物干支持レバーを壁面との間に隙間ができる機能を有するものがある（例えば、特許文献１等）。このような機能が必要となるのは、使用状態において物干支持レバーと壁面との間にある程度の隙間がないと、物干竿等が物干支持レバーから落ちてしまい使い勝手が悪いからである。
【特許文献１】特開平７−３１３７９７号公報
【発明の開示】
【発明が解決しようとする課題】
【０００３】
しかしながら、上記従来例による場合、物干支持レバーが壁面に沿って移動自在になっているのではなく、物干支持レバーを水平状態に移動させる過程でその先端部が壁面から大きく離れる形で物干支持レバーが移動可能な構造となっている以上、周辺に大きな空きスペースがないときには使用することが不可能になり、この点で使い勝手が悪いという欠点がある。
【０００４】
本発明は上記背景の下で創作されたものであり、その目的とするところは、周辺に大きな空きスペースがないときであっても使用することが可能な物干支持具を提供することにある。
【課題を解決するための手段】
【０００５】
本発明の物干支持具は物干支持具は壁面に沿って取り付けられる物干支持具であって、物干支持レバーと、物干支持レバーが上下方向に向けられる不使用位置と略水平に向けられる使用位置とにかけて交互に移動自在にするために物干支持レバーの端部を角度規制しつつ回動自在に軸支する軸支本体とを具備している。軸支本体は、物干支持レバーの端部が取り付けられる可動部と、壁面に取り付けられる固定部とを有している。固定部又は可動部には、物干支持レバーの回動軸となる凸部が設けられる一方、可動部又は固定部には、物干支持レバーの回動軸穴となり且つ凸部に挿入される凹部が設けられ、物干支持レバーを不使用位置から使用位置にかけて移動させると、これに応じて物干支持レバーの先端部が壁面から離れるように凹部の内底面及び凸部の先端面が傾斜案内面となっている。
【発明の効果】
【０００６】
本発明に係る物干支持具による場合、物干支持レバーが壁面に沿って移動自在である構造となっているので、従来例とは異なり、周辺に大きな空きスペースがないときであっても使用することが可能になる。しかも物干支持レバーを不使用位置から使用位置にかけて移動させると、これに応じて物干支持レバーの先端部が斜めに壁面から離れる構造となっているので、物干竿等が物干支持レバーから落ちてしまうおそれもなく、従来例に比べて使い勝手が格段に良くなるというメリットがある。
【発明を実施するための最良の形態】
【０００７】
以下, 本発明の実施の形態に係る物干支持具について図面を参照しながら説明する。図１(a),(b) は物干支持具の正面図、側面図、図２は物干支持具を構成する物干支持レバーの正面図、図３(a),(b),(c) は物干支持具を構成する軸支本体の固定部の平面図、正面図ａ−ａ断面図、図４(a),(b),(c) は同軸支本体の可動部の平面図、正面図、ｂ−ｂ断面図、図５(a),(b) は同軸支本体の固定板の側面図、正面図、図６は物干支持具の使用方法を説明するための模式図であって、(a) は物干支持レバーが不使用位置にある状態、(b) は使用位置にある状態を示す図である。
【０００８】
ここに掲げる物干支持具は、図１及び図６に示すように壁面Ａに沿って取り付けられるタイプのものであって、物干支持レバー１００と、物干支持レバー１００が上下方向に向けられる不使用位置（図６(a) 参照）と略水平方向に向けられる使用位置（図６(b) 参照）とにかけて交互に移動自在にするために物干支持レバー１００の後端部１１０、１１０を角度規制しつつ回動自在に軸支する軸支本体２００とを具備している。以下、各部を詳しく説明する。
【０００９】
物干支持レバー１００は、図２に示すように金属パイプを折り曲げて作成されたものであって、先端部１２０に物干竿Ｘ（図６参照）を受け止める竿受け部１２１が形成されている。この物干支持レバー１００の後端部１１０、１１０には、図１(b) に示すＬアングル状の係止片６００の両端部が係止される係止溝１１１、１１１が形成されている。
【００１０】
軸支本体２００は、図１、図３及び図４に示すように物干竿支持レバー１００の後端部１１０、１１０が取り付けられる可動部２１０と、壁面Ａに取り付けられる固定部２２０とを有する。
【００１１】
固定部２２０は、図４に示すような形状となっており、その上面中央部には物干支持レバー１００の回動軸となる凸部２２１が設けられる。この凸部２２１は円筒体であってその上面にはその中心位置に軸穴２２１１及びその周りに物干支持レバー１００の回動角度を規制するための円弧穴２２１２、２２１２が各々形成されている。
【００１２】
凸部２２１の先端面については、物干支持レバー１００を不使用位置から使用位置にかけて移動させると、これに応じて物干支持レバー１００の先端部が壁面Ａから離れるように傾斜案内面となっている（図４(c) 参照）。
【００１３】
固定部２２０には、上端部（２箇所) 及び下端部（１箇所) にネジ穴２２２、２２２、２２２が開設されている。即ち、固定部２２０、ひいては物干支持具は、壁面Ａにネジを用いて固定されるのである。また、固定部２２０の上端部の中央位置には、係止片２２３が形成されている。
【００１４】
可動部２１０は、図３に示すような形状となっており、その上面には物干支持レバー１００の回動軸穴となり且つ固定部２２０の凸部２２１に挿入される凹部２１１が形成されている。凹部２１１の内底面のうち、凸部２２１の外周側面の肉厚部分の端面が当接する外側環状部分２１１３については、凸部２２１の先端面に合わせて傾斜案内面となっている（図３(c) 参照）。凹部２１１の内底面には、その中心位置に固定部２２０の軸穴２２１１に挿入される軸部２１１１及びその周りに固定部２２０の円弧穴２２１２、２２１２に挿入される軸状のボス２１１２、２１１２が各々形成されている。軸部２１１１の中心位置には取付ネジ４００（図１(b) 参照）に螺着される取付穴２１１１ａが形成されている。
【００１５】
可動部２１０の上側面には、図４(a) 及び(b) に示すように、物干支持レバー１００の後端部１１０、１１０が挿入される挿入穴２１２、２１２が形成されている。可動部２１０の上面には、係止片６００が挿入される係止溝２１４及びネジ穴２１５が形成されている。即ち、物干支持レバー１００の後端部１１０、１１０が挿入穴２２２、２２２に挿入された状態で、係止片６００が係止溝２１４に挿入されると、係止片６００の両端部が係止溝１１１、１１１に係合するようになっている。係止片６００はネジ穴２１５に挿入されるネジを用いて取り付けされる。このようにして物干支持レバー１００が可動部２１０に取り付けられるのである。また、可動部２１０の上面には、固定部２２０の係止片２２３が係止される係止溝２１４が形成されている。これにより物干支持レバー１００が不使用位置にて位置決めされるようになっている。
【００１６】
可動部２１０を固定部２２０に組み合わせる際しては、固定板３００が用いられている。固定板３００は、図５に示すように段付き円板であって、固定部２１０の軸穴２２１１より大きく且つ固定部２２０の凸部２２１内に入り込む程度の大きさを有した小径部３１０と、小径部３１０より大径の大径部３２０とを有している。固定板３００の中心部には取付ネジ４００が挿入される貫通穴３３０が形成されている。即ち、取付ネジ４００を用いて固定板３００を可動部２１０に取り付けると、固定板３００の小径部３１０の先端面が固定部２２０の凸部２２０の先端面裏側の軸穴２２１１の周縁部分に当接し、その結果、可動部２１０が固定部２２０に組み合わされて回動自在に取り付けられる。
【００１７】
ただ、可動部２１０と固定部２２０との組合せが強固であると、物干支持レバー１００を不使用位置から使用位置に交互に移動させるのに大きな力が必要になるし、部分的に大きな応力が作用して壊れることがあることから、図１(b) に示すように固定板３００をコイルスプリング５００を介して可動部２１０に取り付けている。コイルスプリング５００は、図１に示すように、固定板３００の小径部３１０に挿入されて、凸部２２１の先端面裏側と固定板３００の板部３２０との間に配置される形になり、可動部２１０を固定部２２０に近づける方向に付勢するようになっている。
【００１８】
上記した構造の物干支持具の使用方法について図６を参照して説明する。まず、一対の物干支持具を室内の対向する壁面Ａに取り付ける。取り付けを行うに当たっては、軸支本体２００の固定部２２０が上下方向に向くようにする。このような方法で物干支持具を壁面Ａに取り付けると、不使用状態では物干支持レバー１００の先端部１２０が上方向（又は下方向）に向けられる一方、使用状態では物干支持レバー１００の先端部１２０が略水平状態に向けられることになる。
【００１９】
物干支持レバー１００を上方方向に向けた状態では、物干支持レバー１００の先端部１２０と壁面との隙間が小さいことから、物干支持レバー１００が目立ったり邪魔になることがない。この状態で物干支持レバー１００を手に持って図示矢印方向に倒すと、物干支持レバー１００が若干傾きながら移動し、略水平状態で保たれる。この過程で物干支持レバー１００は壁面に沿って移動することから、周りに障害物があっても何ら支障はない。そして略水平状態に保たれた物干支持レバー１００に物干竿Ｘやハンガー等を引っかけるようにする。この際、物干支持レバー１００の先端部１２０と壁面との隙間が大きいことから物干竿Ｘ等が物干支持レバー１００から簡単にずれ落ちない。このように物干支持具を使用しないときには目立たず、周りに障害物があっても何ら支障なく使用することができる。また、構造自体も簡単化が図られているので、大幅なコストアップを招来することもない。それ故、商品としてのアピール度を高める上で大きな意義がある。
【００２０】
なお、本発明に係る物干支持具は上記実施形態に限定されず、次のように設計変更してもかまわない。まず、物干支持レバーに関しては、物干を支持することができる形状等である限り、材質や形状等が問われることがない。軸支本体に関しては、凸部を固定部ではなく可動部に設けるとともに凹部を可動部ではなく固定部に設けるようにしても良い。即ち、凸部が物干支持レバーの回動軸としての機能、凹部が物干支持レバーの回動軸穴としての機能を各々有し、凹部の内底面及び凸部の先端面が傾斜案内面となっている限り、可動部の固定部に対する回動角度を規制する方法、可動部を固定部に取り付ける方法、物干支持レバーを可動部に取り付ける方法等が問われることはない。
【図面の簡単な説明】
【００２１】
【図１】本発明の実施の形態を説明するための物干支持具を示す図であって、(a) は正面図、(b) は側面図である。
【図２】同物干支持具を構成する物干支持レバーの正面図である。
【図３】同物干支持具を構成する物干支持レバーの正面図である。
【図４】同物干支持具を構成する軸支本体の固定部を示す図であって、(a) は平面図、(b) は正面図、(c) はａ−ａ断面図である。
【図５】同軸支本体の可動部を示す図であって、(a) は平面図、(b) は正面図、(c) はｂ−ｂ断面図である。
【図６】同物干支持具の使用方法を説明するための模式図であって、(a) は物干支持レバーが不使用位置にある状態、(b) は使用位置にある状態を示す図である。
【符号の説明】
【００２２】
１００  物干支持レバー
２００  軸支本体
２１０  可動部
２２０  固定部
【図１】
2005073782.tif 000003
【図２】
2005073782.tif 000004
【図３】
2005073782.tif 000005
【図４】
2005073782.tif 000006
【図５】
2005073782.tif 000007
【図６】
2005073782.tif 000008